(57)【特許請求の範囲】
【請求項１】
傾斜した桁フレームを両側に一対設けた階段構造であって、前記一対の桁フレームに受具を所定間隔毎に締結部材により取り付け、各受具に段板を締結部材によって取り付けており、
前記桁フレームは傾斜部の上に水平部を備え、回り受具として、前記水平部に支柱を締結部材により固定し、この支柱には複数の横アングル材を締結部材により取り付け、両端に平板状の接続部が形成された補強フレームを、その平板状の接続部を前記横アングル材に締結部材により固定して設けて形成し、この回り受具に回り階段板を締結部材によって取り付けたことを特徴とする階段構造。
【発明の詳細な説明】
【０００１】
【発明の属する技術分野】
この発明は、傾斜した桁フレームを両側に一対設けた階段構造に関する。
【０００２】
【従来の技術】
従来から、図１６に示すように鉄製の階段構造が知られている。かかる階段構造は、図１７および図１８に示すように、両側に設けた鉄製のささら桁１、１に階段状の鉄板２を溶接するとともに受けアングル３を溶接し、この受けアングル３によって鉄板２を支えるようにしたものである。Ｍは鉄板２の上に設けたモルタルである。
【０００３】
また、一般住宅に用いられる階段構造では、図１９に示すものが知られている（特開平７−２９２９１６号公報参照）。
図１９において、４は傾斜部４Ａおよび水平部４Ｂを有するフレームで、このフレーム４に直線部受具５を溶接し、直線部受具５に直線部段板６を取り付け、直線部段板６、６間に蹴込み板７をはめ込んだものである。また、水平部４Ｂには回り受具８、９、１０を溶接し、回り受具８、１０には回り部段板１１を取り付け、回り受具９には回り部段板１２を取り付けたものである。
【０００４】
又、従来の住宅用鉄製階段は鉄製の桁フレームに段板受けの受具を溶接して、階段構造が構成されていた。この桁フレームに段板、蹴込み板を取付けて階段が構成されている。
特開平１０−３０６５６４号公報では、直接木材同士が擦れることなくして軋み音が発生するのを確実に防止できる階段構造が記載されている。
上記公報では、階段の蹴込み板の上部及び蹴込み板の側部を踏み板下面の支持溝及び桁板の側面の支持溝に嵌合した階段構造であって、蹴込み板の上部及び側部と支持溝との間に摩擦低減層を介在させ、摩擦低減層の作用により相対的なズレが生じて擦れあっても階段の軋み音が発生しないようになされている。
【０００５】
【発明が解決しようとする課題】
しかしながら、このような階段構造にあっては、鉄板２や受けアングル３、直線部受具５等を溶接するため特殊技能者が必要であり、このため、組立コストが高くなってしまう。特に、後者の場合、回り部の部品点数が増加するため溶接箇所も増加し、組立コストが非常に高くなってしまうという問題があった。
【０００６】
また、溶接により部品に歪みが発生するため、部品の寸法精度が低下してしまう問題もあった。又、特開平１０−３０６５６４号公報のように、蹴込み板と段板との間に摩擦低減層が設けられているが、段板の強度が充分でないときは、段板の撓み量が多くなり、長期に段板が撓みを繰り返すことにより摩擦低減層のクッション材が磨耗して音鳴りが再発するといった問題があった。
【０００７】
この発明は、上記問題点に鑑みてなされたものであり、その目的は、溶接を必要としない、且つ段板の撓みと、音鳴りを防止できる階段構造を提供することにある。
【０００８】
【課題を解決するための手段】
請求項１記載の発明の階段構造は、傾斜した桁フレームを両側に一対設けた階段構造であって、前記一対の桁フレームに受具を所定間隔毎に締結部材により取り付け、各受具に段板を締結部材によって取り付けており、前記桁フレームは傾斜部の上に水平部を備え、回り受具として、前記水平部に支柱を締結部材により固定し、この支柱には複数の横アングル材を締結部材により取り付け、両端に平板状の接続部が形成された補強フレームを、その平板状の接続部を前記横アングル材に締結部材により固定して設けて形成し、この回り受具に回り階段板を締結部材によって取り付けたことを特徴とする。
【００１２】
【作用】
請求項１記載の発明の階段構造は、一対の桁フレームに受具を所定間隔毎にリベットなどの締結部材により取り付け、各受具に段板をネジなどの締結部材によって取り付けたものであるから、溶接が不要となり、このため、組立コストの低下を図ることができ、また、部品の寸法精度を向上させることができる。
また、桁フレームは傾斜部の上に水平部を備え、回り受具として、前記水平部に支柱をリベットなどの締結部材により固定し、この支柱には複数の横アングル材をリベットなどの締結部材により取り付け、両端に平板状の接続部が形成された補強フレームを、その平板状の接続部を横アングル材にリベットなどの締結部材により固定して設けて形成し、この回り受具に回り階段板をネジなどの締結部材によって取り付けたものであるから、回り部の部品点数が増加しても溶接が不要であることにより組立コストの低下を図ることができ、また、部品の寸法精度を向上させることができる。
【００１６】
【発明の実施の形態】
以下、この発明に係わる階段構造の参考例及び実施の形態を図面に基づいて説明する。
【００１７】
（参考例１）
図１ないし図３において、２０は断面がコ字状に形成された桁フレームであり、この桁フレーム２０は傾斜部２１とこの傾斜部２１の上に形成された水平部２２とを有している。
【００１８】
傾斜部２１には、受具２３が所定間隔毎に取り付けられている。受具２３は図４に示すように平面状の受板部２３Ａとこの受板部２３Ａの両端から垂下した側板部２３Ｂとを有しており、受板部２３Ａには複数のネジ孔２４が形成され、側板部２３Ｂはリベット２５により傾斜部２１の側面２１Ａに固定されている。この固定により受具２３が傾斜部２１に取り付けられている。
【００１９】
受板部２３Ａには図５に示すように木製の段板２６が図示しないネジにより
取り付けられている。そして、段板２６と段板２６との間に蹴込み板２７がはめ込まれている。
【００２０】
水平部２２、２２の後端には図６および図７に示すように梁受プレート３０を介して上部梁３１が取り付けられている。梁受プレート３０はＬ字状に形成され、梁受プレート３０の一端部３０Ａをリベット３２で上部梁３１に固定し、梁受プレート３０の他端部３０Ｂをリベット（図示せず）で桁フレーム２０の水平部２２に固定して、上部梁３１を水平部２２に取り付けたものである。なお、上部梁３１は断面がＬ字状に形成されている。
【００２１】
また、水平部２２には支柱３３、３４がネジ（図示せず）により固定されている。最上段の受具２３にも支柱３３がネジ（図示せず）により固定されている。これら支柱３３、３４には横アングル材３５Ａ〜３５Ｃ、３６Ａ、３６Ｂが図示しないネジにより取り付けられている。この横アングル材３５Ａ〜３５Ｃには回り段部板４０がネジ（図示せず）により取り付けられ、横アングル部材３６Ａ、３６Ｂには回り段板４１がネジ（図示せず）により取り付けられている。４２、４３は蹴込み板である。
【００２２】
この階段構造によれば、受具２３、上部梁３１、支柱３３、３４、横アングル部材３５、３６等をリベット３２やネジによって取り付けるようにしたものであるから溶接する必要がない。このため、組立コストを低く抑えることができ、しかも、溶接による部品の歪みが発生しないことにより、各部品の寸法精度の向上を図ることができる。
【００２３】
（実施形態）
図８は実施形態を示したものであり、この実施形態は回り部に補強フレーム４０、５０を取り付けて回り部の強度を強固にしたものである。
【００２４】
補強フレーム４０は断面がＬ字状に形成され、図９に示すように、その一端には折り曲げられた平板状の接続部４１が形成され、接続部４１がリベット（図示せず）により横アングル部材３６Ａに固定されている。補強フレーム４０の他端には図１０に示すように折り曲げられた平板状の接続部４２が形成され、接続部４２がリベット（図示せず）により横アングル部材３６Ｂに固定されている。
【００２５】
補強フレーム５０は断面がＬ字状に形成され、図１１に示すように、その一端には折り曲げられた平板状の接続部５１が形成され、接続部５１がリベット（図示せず）により横アングル部材３５Ａに固定されている。補強フレーム５０の他端には図１２に示すように折り曲げられた平板状の接続部５２が形成され、接続部５２がリベット（図示せず）により横アングル部材３５Ｂに固定されている。
【００２６】
このように、補強フレーム４０、５０をリベットにより取り付けたので、上述のように溶接する必要がなく、組立コストを低く抑えることができ、しかも、溶接による部品の歪みが発生しないことにより、各部品の寸法精度の向上を図ることができる。
【００２７】
（参考例２）
図１３〜図１５は参考例２の階段構造を示す断面図である。この参考例２の階段構造は、傾斜した桁フレーム２０を両側に一対設けた階段構造となっている。
【００２８】
図１３〜図１５に示すように、前記一対の桁フレーム２０の傾斜部２１に断面略三角形状に折り曲げられた受具６２ａ、６２ｂ、６２ｃが受具６２ａ、６２ｂ、６２ｃの両側に設けられた端部６２１、６２２を一対の桁フレーム２０の傾斜部２１に当接させてリベットもしくはボルトによる接合で取り付けられている。
【００２９】
受け具６２ａ、６２ｂ、６２ｃは鋼板を断面略三角形状に折り曲げて加工して形成されている。前記受具６２ａ、６２ｂ、６２ｃには段板支持面６２３と蹴込み板当接面６２４とが設けられている。段板支持面６２３は段板６１と当接できるように水平な支持面になされ、段板１６を面で支持できるようになされている。
【００３０】
段板６１との固定は段板支持面６２３と段板６１を当接させて接着剤を用いて接着固定されている。段板支持面６２３は、断面略三角形状に折り曲げて加工されているので、段板６１からの歩行負荷によっても曲げ強度が強い断面形状になされている。
【００３１】
図１３に示すように、受具６２ａの蹴込み板当接面６２４は蹴込み板６３上下面で垂直に当接できる形状になされている。そのため受具６２ａで垂直荷重を支持しているので、蹴込み板６３を構造材で仕上げる必要がなく化粧板のみの仕上げとすることができる。
【００３２】
図１４に示すように、受具６２ｂの蹴込み板当接面６２４は上部のみ蹴込み板６３に当接できるようになされている。そのため蹴込み板６３とは上部にのみ当接するので、蹴込み板当接面６２４の垂直面の精度によって蹴込み板６３の取付け精度が左右されにくい階段構造となり、蹴込み板６３の取付け作業がし易くなされている。
【００３３】
図１５に示すように、受具６２ｃの蹴込み板当接面６２４は上部にのみ蹴込み板６３に当接できるようになされている。さらに端部６２２の先端を折り返して当接部６２５が設けられ、隣接する下の段板６１の端部を固定できるようになされている。
【００３４】
受具６２ｃの蹴込み板６３とは上部にのみ蹴込み板６３と当接されているため、受具６２ｂ同様に蹴込み板当接面６２４の垂直面の精度によって蹴込み板６３の取付け精度が左右されにくい階段構造となり、蹴込み板６３の取付け作業がし易くなされている。図１３〜図１５に示すように、段板支持面と蹴込み板当接面６２４とが一体で断面略三角形状に折り曲げ加工されているので、曲げ強度の強い受具６２ａ、６２ｂ、６２ｃとなり、これらに支持された段板６１によって、段板６１の撓み難い階段構造になされている。
【００３５】
又、前記蹴込み板６３の上端部は前記段板６１下面に設けられた溝６１１に挿入されて設けられている。段板６１の下面に設けられた溝６１１には蹴込み板６３は先端が密着せず隙間が設けられている。
【００３６】
即ち、蹴込み板６３の上端部と前記段板６１の溝底部６１２とは、前記段板６１が歩行負荷により撓んだ際に、前記蹴込み板６３が前記段板６１と先端に設けられた隙間によって、非接触になされその為に段板６１と蹴込み板６３との軋み音が発生することがない。
【００３７】
【発明の効果】
請求項１記載の発明の階段構造は、一対の桁フレームに受具を所定間隔毎にリベットなどの締結部材により取り付け、各受具に段板をネジなどの締結部材によって取り付けたものであるから、溶接が不要となり、このため、組立コストの低下を図ることができ、また、部品の寸法精度を向上させることができる。
また、桁フレームは傾斜部の上に水平部を備え、回り受具として、前記水平部に支柱をリベットなどの締結部材により固定し、この支柱には複数の横アングル材をリベットなどの締結部材により取り付け、両端に平板状の接続部が形成された補強フレームを、その平板状の接続部を前記横アングル材にリベットなどの締結部材により固定して設けて形成し、この回り受具に回り階段板をネジなどの締結部材によって取り付けたものであるから、回り部の部品点数が増加しても溶接が不要であることにより組立コストの低下を図ることができ、また、部品の寸法精度を向上させることができる。
【図面の簡単な説明】
【図１】  この発明の参考例１に係る階段構造によって構成した階段の平面図である。
【図２】  図１の側面図である。
【図３】  図１の正面図である。
【図４】  図１の桁フレームに受具を取り付けた状態を示した斜視図である。
【図５】  図１の階段の階段構造を示した斜視図である。
【図６】  桁フレームに上部梁を取り付けた状態を示した平面図である。
【図７】  桁フレームに上部梁を取り付けた状態を示した正面図である。
【図８】  実施形態を示した説明図である。
【図９】  補強フレームの一端側の取り付け状態を示した説明図である。
【図１０】  図９の補強フレームの他端側の取り付け状態を示した説明図である。
【図１１】  補強フレームの一端側の取り付け状態を示した説明図である。
【図１２】  図１１の補強フレームの他端側の取り付け状態を示した説明図である。
【図１３】  参考例２の階段構造を示す断面図である。
【図１４】  参考例２の階段構造を示す断面図である。
【図１５】  参考例２の階段構造を示す断面図である。
【図１６】  従来の階段を示した平面図である。
【図１７】  図１３のＡ−Ａ断面図である。
【図１８】  ささら桁に鉄板と受けアングルを溶接した状態を示した説明図である。
【図１９】  従来の一般住宅の階段構造を示した説明図である。
【符号の説明】
２０      桁フレーム
２１      傾斜部
２２      水平部
２３      受具
２３Ａ    受板部
２３Ｂ    側板部
２５      リベット
２６      段板
６１      段板
６１１    溝
６１２    溝底部
６２ａ、６２ｂ、６２ｃ      受け具
６２１、６２２      端部
６２３    段板当接面
６２４    蹴込み板当接面
６３      蹴込み板
【図１】
0004153135.tif 000002
【図２】
0004153135.tif 000003
【図３】
0004153135.tif 000004
【図４】
0004153135.tif 000005
【図５】
0004153135.tif 000006
【図６】
0004153135.tif 000007
【図７】
0004153135.tif 000008
【図８】
0004153135.tif 000009
【図９】
0004153135.tif 000010
【図１０】
0004153135.tif 000011
【図１１】
0004153135.tif 000012
【図１２】
0004153135.tif 000013
【図１３】
0004153135.tif 000014
【図１４】
0004153135.tif 000015
【図１５】
0004153135.tif 000016
【図１６】
0004153135.tif 000017
【図１７】
0004153135.tif 000018
【図１８】
0004153135.tif 000019
【図１９】
0004153135.tif 000020